(57)【要約】【課題】保管や運搬・組み立てが容易で、高度な熟練や技術を必要とせず、少ない労力で花祭壇を構成することのできる花スタンドを提供する。【解決手段】一方の面側に所定の間隔で複数の孔１ｄが設けられた略平板状のパネル部１ａと、これら各孔１ｄの他方面側に突出する有底筒状の挿し花部１ｂとからなるフラワーパレット１を、スタンド２で支持するとともに、フラワーパレット１の各挿し花部１ｂに、同じ長さに切り揃えた飾り花を順次差し入れることにより、高度な熟練や技術を有さない作業者であっても、容易かつ少ない労力で見栄えの良い花祭壇を構成することができる。【選択図】図１
2007325678.tif 000002
【特許請求の範囲】
【請求項１】
多数の飾り花を所望のパターンに配置する花スタンドであって、
一方の面側に所定の間隔で複数の孔が設けられた平板状のパネル部と、これら各孔の他方面側開口縁部に連続して該パネル部の他方の面側に突出するとともに、その内部深さがそれぞれ同じになるように形成された有底筒状の挿し花部とからなるフラワーパレットと、このフラワーパレットを支持するスタンドとを備えることを特徴とする花スタンド。
【請求項２】
前記フラワーパレットの各挿し花部が、すべて同一の円すい形状に形成されていることを特徴とする請求項１に記載の花スタンド。
【請求項３】
前記フラワーパレットのパネル部の縁部に、前記挿し花部を挿通することのできる開口径を有する穴が該挿し花部と同じ間隔で複数設けられた連結部が形成されていることを特徴とする請求項２に記載の花スタンド。
【請求項４】
前記スタンドにおける前記フラワーパレットとの接続部位に、前記挿し花部を挿通することのできる開口径を有する穴が該挿し花部と同じ間隔で複数設けられた受け部材が配設されていることを特徴とする請求項１ないし請求項３のいずれかに記載の花スタンド。
【発明の詳細な説明】
【技術分野】
【０００１】
本発明は、多数の花を用いた祭壇等の飾り付けや会場演出などに使用される花スタンドに関する。
【背景技術】
【０００２】
例えば、冠婚葬祭や祝賀会等、大規模なセレモニーにおいては、大量の花を祭壇状に飾った会場演出が行なわれる。このような花祭壇は、一般に、図３に示すような「オアシス」と呼称される軟質ポリウレタンフォームのベース３を階段状に並べ、このベースに生花あるいは造花を、前（手前）から後（奥）に向かって順次高くなっていくように差し込んで構成されている（特許文献１等を参照）。
【０００３】
ところで、従来の花祭壇の設営（飾り付け）は、ベースに差し込まれた花の縦横の配列や高低差等を考慮して行なわねばならないため、熟練した技術が必要で、かつ、多大な労力および時間を要することから、非常にコストのかかる作業となっていた。
【０００４】
そこで、この花の飾り付け作業の負担を軽減すべく、立体形状に組み上げたフレームの所定位置に多数の筒状花瓶を配列する構成（特許文献２）、一定間隔で多数の花立て筒（パイプ）を備えた花器を並べて配置した花スタンド（特許文献３〜４）や、フレームの所定面に金網等の網状体を貼り付けて構成したもの（特許文献５）等が、提案されている。
【特許文献１】登録実用新案第３０８０７３１号公報
【特許文献２】特開２００５−１５２６６８号公報
【特許文献３】特開２００３−３２５２９０号公報
【特許文献４】実開平６−６４５８８号公報
【特許文献５】特開２００１−１３７１０５号公報
【発明の開示】
【発明が解決しようとする課題】
【０００５】
しかしながら、これら従来の花スタンドは、花祭壇の形状を変更したり、移設したりする度に、フレームを解体して組み直す必要があり、依然として、個々の花立て筒（花瓶）の調整作業に多くの時間が必要とされる。
【０００６】
また、フレームが固定化された花スタンドも、使用時に組み立てる作業は必要ないものの、その重量のために移動が困難で、不使用時の保管に大きなスペースを必要とするという問題があった。
【０００７】
本発明は、上記する課題に対処するためになされたものであり、保管や運搬・組み立てが容易で、高度な熟練や技術を必要とせず、少ない労力で花祭壇を構成することのできる花スタンドを提供することを目的としている。
【課題を解決するための手段】
【０００８】
前記の目的を達成するために、請求項１に記載の発明は、多数の飾り花を所望のパターンに配置する花スタンドであって、一方の面側に所定の間隔で複数の孔が設けられた平板状のパネル部と、これら各孔の他方面側開口縁部に連続して該パネル部の他方の面側に突出するとともに、その内部深さがそれぞれ同じになるように形成された有底筒状の挿し花部とからなるフラワーパレットと、このフラワーパレットを支持するスタンドとを備えることを特徴とする。
【０００９】
本発明は、内部空間の深さ（高さ）が同一に形成された多数の有底筒状体がパネル状基体で連結・一体化された形状を有するフラワーパレットを備える花スタンドに、一定の長さに切り揃えた飾り花を差し込み、所定の間隔で規則的に整列・保持させることにより、所期の目的を達成しようとするものである。
【００１０】
すなわち、請求項１に記載の発明によれば、表面側に所定の間隔で多数の孔が設けられた平板状のパネル部と、これら各孔の裏面側に突出する有底筒状の挿し花部とからなるフラワーパレットの該挿し花部に、同じ長さ（高さ）に切り揃えた飾り花を順次差し入れることにより、個々の花の縦横配列や高低差等を考慮することなく、花祭壇を形成することが可能になる。
【００１１】
また、この花スタンドは、花器に相当する挿し花部がパネル部によりフラワーパレットとして一体化されているとともに、このフラワーパレットとスタンドが分離可能あることから、これらの組み立て・解体や移動が容易で、かつ、花祭壇を構成する各フラワーパレットの位置決めや角度調節を簡単に行なうことができる。従って、本発明の花スタンドによれば、高度な熟練や技術を必要とせず、少ない労力で見栄えの良い花祭壇を構成することができる。
【００１２】
なお、これら挿し花部に挿入する花は、造花あるいは生花のどちらでも良い。本発明のフラワーパレットの挿し花部は有底筒状に形成されているため、これら挿し花部に生花を挿入した場合でも、その内部に水を入れて保持することができる。また、造花を用いる場合は勿論水を入れる必要はなく、これら造花と生花を併用しても良い。
【００１３】
次に、本発明の花スタンドは、前記フラワーパレットの各挿し花部が、すべて同一の円すい形状に形成されている構成を好適に採用することができる。（請求項２）
【００１４】
この構成により、不使用時のフラワーパレットを積み重ねることが可能になる。従って、本発明の花スタンドは、これらフラワーパレットの運搬が容易で、かつ、不使用時の保管場所も小さなスペースで済む。
【００１５】
また、前記フラワーパレットのパネル部の縁部に、前記挿し花部を挿通することのできる開口径を有する穴が該挿し花部と同じ間隔で複数設けられた連結部を形成しても良い。（請求項３）
【００１６】
この連結部により、各フラワーパレットは、その一部の挿し花部を隣接するパレットの連結部に挿通するだけで、簡単に連結することができる。また、連結部を有するフラワーパレットをユニット（モジュール）として、これらパレットを連結することにより、大規模な花祭壇も容易に構成することが可能になる。
【００１７】
次に、請求項４に記載の花スタンドは、前記スタンドにおける前記フラワーパレットとの接続部位に、前記挿し花部を挿通することのできる開口径を有する穴が該挿し花部と同じ間隔で複数設けられた受け部材が配設されていることを特徴とする。
【００１８】
前記パレットの連結部と同様の形状を有する受け部材を用いることにより、スタンドとフラワーパレットの接続およびフラワーパレットの位置決めを簡単に行なうことができるようになる。なお、フラワーパレットの自由な位置決めや角度調節のために、この受け部材は、ボールジョイント等を介在させて該スタンドに固定することが望ましい。
【発明の効果】
【００１９】
以上のように、本発明の花スタンドによれば、同じ長さ（高さ）に切り揃えた飾り花を、フラワーパレットの挿し花部に順次差し入れるだけで、見栄えの良い花祭壇を構成することができる。
【００２０】
また、花器に相当する挿し花部がパネル部によりフラワーパレットとして一体化されていることから、花祭壇の組み立て・解体や移動が容易で、かつ、花祭壇を構成する各フラワーパレットの位置決めや角度調節も簡単に行なうことができる。
【００２１】
更に、本発明の花スタンドは、不使用時のフラワーパレットを積み重ねることが可能で、これらフラワーパレットの運搬および不使用時の保管が容易である。
【発明を実施するための最良の形態】
【００２２】
以下、図面を参照しつつこの発明を実施するための形態について説明する。
図１は、本発明の実施形態における花スタンドの構成を示す側面図（ａ）と正面図（ｂ）であり、図２は、この花スタンドの連結方法を説明する図である。
【００２３】
本実施形態における花スタンドは、例えば葬儀等の祭壇の周囲に階段状または傾斜した状態で配置されるものであり、多数の生花あるいは造花を保持するフラワーパレット１と、このフラワーパレット１を所定位置で所望の角度に支承するスタンド２とを、複数組み合わせて構成されている。
【００２４】
フラワーパレット１は、緩やかに湾曲する平板状のパネル部１ａと、このパネル部１ａの裏面側から突出する略円すい状の多数の挿し花部１ｂ，１ｂ，・・・と、パネル部１ａの一方の縁部に形成された連結部１ｃとからなる。このパネル部１ａの一面（表側）には、縦横に所定の間隔で、飾り花を挿し入れることのできる多数の孔１ｄが形成されている。また、各挿し花部１ｂは、これら孔１ｄの他面側（裏側）開口を覆うように設けられており、その根元部（大径側）は、前記開口の縁部に連続するように、パネル部１ａに一体に形成されている。
【００２５】
なお、各挿し花部１ｂは、全体として略コーン状であり、その先端部（小径側）は閉じられ、内部に水を湛えることができるように構成されている。また、連結部１ｃは、パネル部１ａから突出するフランジ状に形成されており、各挿し花部１ｂをほぼ根元部まで挿通することのできる開口径を有する複数の穴１ｅ，１ｅ，・・・が、挿し花部１ｂと同じ間隔で１列に設けられている。
【００２６】
スタンド２は、下地に接地するベース部２ａと、伸縮により高さ調節の可能なポール部２ｂと、フラワーパレット１を支持する受け部２ｃとからなり、これら受け部２ｃとポール部２ｂとの間には、前記フラワーパレット１の角度を自由に調節することのできるジョイント２ｄが配置されている。
【００２７】
また、このスタンド２の受け部２ｃには、前述のフラワーパレット１の連結部１ｃと同様、フラワーパレット１の各挿し花部１ｂをほぼ根元部まで挿通することのできる開口径を有する複数の穴２ｅ，２ｅ，・・・が、縦横に挿し花部１ｂと同じ間隔で設けられており、これらの穴２ｅに合わせて前記挿し花部１ｂの先端を差し入れるだけで、フラワーパレット１を簡単に支持・固定することができるように構成されている。
【００２８】
さて、以上のような構造の花スタンドを用いた花祭壇の構築は、図２のように、フラワーパレット１の連結部１ｃに、隣接するパレット１の端部に位置する挿し花部１ｂ，１ｂ，・・・を挿通しつつ、これらのフラワーパレット１を、下側（裏面側）に配置した複数のスタンド２で支持・固定することにより行なわれる。なお、フラワーパレットの数とスタンドの数は、必ずしも同数である必要はなく、フラワーパレットをセッティングする角度や数量、花を飾りつけた後の重量等を勘案し、適宜増減すれば良い。
【００２９】
花祭壇の概略的な配置が整った後、フラワーパレット１の各挿し花部１ｂに、飾り花を挿入する。この時、フラワーパレット１の各挿し花部１ｂがすべて同じ深さに形成されていることから、用意する各飾り花は、すべて同じ長さ（高さ）に切り揃えれば良い。
【００３０】
なお、これら挿し花部に挿入する飾り花は、造花あるいは生花のどちらでも良く、参拝者に近接した前部（手前側）を生花、参拝者から離れた後部（奥側）を造花としても良い。また、生花を使用する場合は、生花を挿入する前に予め、または生花を挿入した後に、該当する各挿し花部１ｂに水を注入する。
【００３１】
以上のように、この花スタンドは、各フラワーパレット１の位置決めや角度調節を簡単に行なうことができるとともに、その挿し花部１ｂに、一定の長さに切り揃えた飾り花を差し込むだけで、見栄えの良い花祭壇を形成することができる。従って、本実施形態の花スタンドは、従来の花スタンドのように、個々の花の縦横配列や高低差等を考慮する必要がなく、高度な熟練や技術を有さない作業者であっても、容易かつ少ない労力で豪華な花祭壇を構成することが可能となる。
【００３２】
また、この花スタンドは、そのセッティングが容易であるとともに、使用後の解体・移動も簡単に行なうことができる。しかも、各フラワーパレット１は、積み重ねることができる形状に形成されていることから、これらの運搬や保管の時も嵩張ることがない。従って、本実施形態における花スタンドは、従来の花スタンドに比して保管や運搬・組み立てが容易で、少ない労力で花祭壇を構成することができる。
【００３３】
なお、本実施形態では、その断面が緩やかに湾曲した形状のパネル部１ａを有するフラワーパレット１の例を示したが、本発明におけるパネルの断面形状はこの例に限定されるものではなく、例えば、フラット形状やその他の形状でも良い。しかしながら、各フラワーパレットを積み重ねて保管することを考慮すると、あまり大きく湾曲した断面形状は採用し難い。パネルの平面形状は、どのようなパターンでも可能であり、花祭壇の構成に合わせて、適宜変更すれば良い。
【００３４】
また、パネル部１ａの裏面から突出する挿し花部１ｂの形状（外観）も、この実施形態における例に限定されるものではなく、ストレートな筒状等、その他の形状でも良い。なお、この挿し花部１ｂも前記パネル部１ａと同様、各フラワーパレットを積み重ねて移動・保管することを考慮すると、その先端部（底部）よりも根元部が大径である形状が望ましい。
【００３５】
また更に、本発明におけるフラワーパレット１を構成する材料も、特に限定されるものではなく、金属製，木製，樹脂製等、種々の素材が使用可能である。移動時の重量や耐久性を考慮した場合、一体成形が可能でかつ軽量な樹脂製フラワーパレットが好ましい。
【図面の簡単な説明】
【００３６】
【図１】本発明の実施形態における花スタンドの構成を示す側面図（ａ）と正面図（ｂ）である。
【図２】本発明の実施形態における花スタンドの連結方法を説明する図である。
【図３】従来の花祭壇に用いられる軟質ポリウレタンフォームベースの図である。
【符号の説明】
【００３７】
１  フラワーパレット
１ａ  パネル部      １ｂ  挿し花部      １ｃ  連結部
１ｄ  孔      １ｅ  穴
２  スタンド
２ａ  ベース部      ２ｂ  ポール部      ２ｃ  受け部
２ｄ  ジョイント      ２ｅ  穴
３  ベース
【図１】
2007325678.tif 000003
【図２】
2007325678.tif 000004
【図３】
2007325678.tif 000005